(57)【要約】【課題】サーボ信号書き込み時にスキュー角度によって生じる磁化反転領域を小さくする為の磁気ヘッドを提供するものである。【解決手段】上部ポール８の端面及び下部ポール１０の端面に挟まれ四辺形を形成する磁気ギャップ領域１４の空間部の斜辺１９がアクチュエータ５回動の際生じる磁気記録媒体３とのスキュー角度０度の直線に対し最大スキュー角度以下の傾きを持つこととした。【選択図】  図６
2004178635.tif 000002
【特許請求の範囲】
【請求項１】
磁気記録媒体上を回動するアクチュエータを備えた磁気ディスク装置に使用され、各々磁性薄膜により形成される上層コア及び下層コアと、薄膜コイルとを備えてなる磁気ヘッドにおいて、前記下層コアは磁気記録媒体摺動面に臨んで前記上層コアに向かって突出する下部ポールを持つと共に、前記上層コアは前記磁気記録媒体摺動面に臨んで前記下層コアに向かって突出する様に一体に形成された上部ポールを持つ構造を有しており、前記磁気ヘッドの前記磁気記録媒体に対向する面から見て、前記上部ポールの端面及び前記下部ポールの端面に挟まれ四辺形を形成する磁気ギャップ領域の空間部の二斜辺が前記アクチュエータ回動の際生じる前記磁気記録媒体とのスキュー角度０度の直線に対し最大スキュー角度以下の傾きを持つことを特徴とする磁気ヘッド。
【請求項２】
磁気記録媒体上を回動するアクチュエータを備えた磁気ディスク装置に使用され、各々磁性薄膜により形成される上層コア及び下層コアと、薄膜コイルとを備えてなる磁気ヘッドにおいて、前記下層コアは磁気記録媒体摺動面に臨んで前記上層コアに向かって突出する下部ポールを持つと共に、前記上層コアは前記磁気記録媒体摺動面に臨んで前記下層コアに向かって突出する様に一体に形成された上部ポールを持つ構造を有しており、前記磁気ヘッドの前記磁気記録媒体に対向する面から見て、前記上部ポール幅はトラック幅に適応し、前記下部ポールの幅は前記上部ポール幅より狭く、前記上部ポールの端面及び前記下部ポールの端面に挟まれ略台形を形成する磁気ギャップ領域の空間部の二斜辺が前記アクチュエータ回動の際生じる前記磁気記録媒体とのスキュー角度０度の直線に対し最大スキュー角度以下の傾きを持つことを特徴とする磁気ヘッド。
【請求項３】
前記磁気ギャップ領域の空間部の少なくとも一斜辺が前記アクチュエータ回動の際生じる前記磁気記録媒体とのスキュー角度０度の直線に対し前記最大スキュー角度以下の傾きを持つ略台形となる様、前記下部ポールの位置及び幅が形成されていることを特徴とする請求項２に記載の磁気ヘッド
【請求項４】
前記下層コアの下に磁気抵抗効果素子が形成され記録再生分離型ヘッドである事を特徴とする請求項１ないし３に記載の磁気ヘッド。
【請求項５】
前記磁気ヘッドと、前記磁気記録媒体と、前記磁気記録媒体を回転駆動する駆動手段と、前記磁気ヘッドを先端に取り付け前記磁気記録媒体に対して揺動可能に支持された回動型アクチュエータと、前記回動型アクチュエータを回動する駆動手段とを備えたディスク装置であって、請求項１ないし４に記載された磁気ヘッドを用いたディスク装置
【請求項６】
最大スキュー角度以下の傾きを有する前記斜辺が、前記磁気記録媒体の中心方向に遠い側に位置する場合には、前記磁気記録媒体の外周側から内周側に向けて記録し、近い側に位置する場合には、前記磁気記録媒体の内周側から外周側に向けて記録することを特徴とするディスク装置の記録方法。
【発明の詳細な説明】
【０００１】
【発明の属する技術分野】
本発明は磁気記録媒体に対して記録及び／又は再生を行う磁気ヘッド及び磁気ヘッドの位置決め機構として媒体表面にサーボ信号を記録した磁気ディスク装置に関するものである。
【０００２】
【従来の技術】
従来、コンピュータ等に内蔵されまた接続される磁気ディスク装置は、図１に示すとおり、筐体１の平面部にスピンドルモータ２が配設されていると共に、このスピンドルモータによって角速度一定で回転駆動される磁気ディスク媒体３が備えられている。
【０００３】
さらに筐体には筐体平面上に支持軸４を持ち、前記ディスク媒体上を円弧状に回動可能なアクチュエータ５が取り付けられている。アクチュエータの先端には磁気ヘッドを内蔵するヘッドスライダ６が取り付けられており回転したディスク上を浮上しながら情報を記録／再生する。
【０００４】
磁気ヘッドは多くの場合図２に示すとおり、インダクティブヘッド部１６と再生用巨大磁気抵抗効果型磁気ヘッド（以下ＧＭＲヘッドと称する）部１５とにより構成される。インダクティブヘッド部は上層コアから磁気記録媒体摺動面に臨んで下層コアに向かって突出する様に一体に形成された上部ポール８と下層コア９から磁気記録媒体摺動面に臨んで上層コアに向かって突出する下部ポール１０を持ち、この両ポール間において図３に示すとおり磁気ギャップ領域１４として一方から発生する磁束が他方に吸い込まれるような磁界分布を形成する。この磁界のヘッド進行方向の成分の強度が、磁気記録媒体の保磁力を超えたときに上記磁気ディスク媒体に磁気記録パターンが書き込まれる。一般的に記録ヘッド部の上部及び下部ポールの幅は磁気記録媒体のトラック幅に応じて等しく決定され前述の磁気ギャップ領域は示すように長方形の形状を有する。
【０００５】
ヘッドスライダ６はアクチュエータ５に応じてディスク媒体４上を円弧状にシークするが、図４に示すとおり、回動型アクチュエータは磁気ヘッドがディスクの中周付近にてトラック方向と平行に記録される様設置されディスクの外周側と内周側においてはトラック方向に対して傾いた、いわゆるスキュー角を持ったパターンとして記録される。
【０００６】
一方、磁気ディスク装置の磁気ヘッドを位置決めするためのサーボパターンの記録方法の１つとして外部より上記磁気ヘッドの絶対座標を計測しながらトラック情報及びサーボ情報を書き込んでいく方法が知られている。このようなトラック情報及びサーボ情報を書き込む技術として、例えば特公昭６３−６４８１２号公報に記載された技術が知られている。この技術は、磁気ディスク外周または内周より、１本ずつトラック情報及びサーボ情報を一方向に磁気ディスクの全面に書き込むというものである。
【０００７】
また、特開平１０−２１５０８公報のように、磁気ヘッドの下部ポールの幅は上部ポールより狭くして、漏れ磁束を低減するための技術が知られている。
【０００８】
【特許文献１】
特開平１０−２１５０８号公報（第３−４頁、第１図）
【０００９】
【発明が解決しようとする課題】
前述したように、サーボパターンの記録は、磁気ディスクの外周側または内周側より一方向に向けて行われ、また半径方向に連続したサーボパターン作成の為、多くの場合、あるトラックを書き込んだ後、次の隣接トラックの書き込みが前のトラックにその一部が重ね書きされる形で行われる。その結果、記録ヘッドがディスク半径方向へパターンを書き進んで行く方向と反対側のエッジが記録パターンとして残る。例えば図５に示すとおり外周側から内周側へサーボパターンを記録していくと、外周側エッジのパターンが残る結果、外周、中周側においては連続したサーボ信号が形成されるのに対し、内周側でのパターンで磁化方向の反転した領域が残留する。内周側より外周方向へサーボパターンを記録する場合はその逆となる。
【００１０】
この重ね合わせ部分の反転磁化が残るとサーボ信号の品質が低下しヘッドの位置決め精度が低下してしまう。その結果ディスク記憶装置の信頼性を低下させる要因となる。このような現象は、トラックピッチが狭くなる（トラック密度が高くなる）にしたがってより顕著となる。
【００１１】
本発明の目的は以上の点に鑑み、前述した従来技術の問題点を解決する為、磁気ヘッドの磁極形状を変更することにより磁化反転領域を小さくすることでサーボ信号の品質を改善し磁気ディスク装置の性能向上を図った磁気ヘッド及び磁気ディスク装置を提供することにある。
【００１２】
【課題を解決する為の手段】
本発明によれば前記目的は、磁気ヘッドのポール先端部分が上部ポールはトラック幅に適応し磁気ギャップ領域が最大スキュー角度以下によって絞り込まれた略台形を有するよう下部ポールを定義することにより達成される。
以上のように構成された本発明にかかわる磁気ヘッドでは、磁気ディスク装置内においてアクチュエータの回動によるスキュー角度のついた状態においてもイレース幅を最小限にすることができる。これにより磁気ディスク装置におけるサーボ信号品質の低下を予防し信頼性を確保できる。
【００１３】
【発明の実施の形態】
以下、本発明にかかわる磁気ヘッドの好適な実施の形態を図面を参照しながら詳細に説明する。
【００１４】
本実施の形態にかかわる磁気ヘッドは図２のように磁気ディスク媒体に記録された磁気信号を再生するＧＭＲヘッド部１５と、磁気ディスク媒体に磁気信号を記録するインダクティブヘッド部１６とを備える。
【００１５】
このＧＭＲヘッドは巨大磁気抵抗効果素子（以下ＧＭＲ素子と称する）１２を有し、このＧＭＲ素子が感磁部となり磁気ディスク媒体に記録された磁気信号を検出する。
【００１６】
一方、前述したＧＭＲヘッド上に設けられたインダクティブヘッドは下層コア９とこの下層コアに対向する位置に設けられる上層コアとを備える。
またインダクティブヘッドは上層コアと一体に形成されて媒体摺動面側に突設される上部ポール８と、下層コアの媒体摺動面側に突設される下部ポール１０と、これら上部ポールと下部ポールとの間に設けられる磁気ギャップ領域１４とを備える。これら上部ポールと下部ポールはそれぞれ相対する位置に設けられており、磁気ギャップにより磁気的に絶縁されている。
【００１７】
このインダクティブヘッドでは、図６に示すとおり上部ポールの幅寸法１７がトラック幅に対応し下部ポール１８は上部ポールよりも狭く形成される。この上部ポール幅と下部ポール幅により得られる磁気ギャップ領域１４は略台形になるが、この時空間部の斜辺１９はアクチュエータ回動におけるスキュー０の直線より最大スキュー分以下傾き下部ポール１０に向かって絞り込まれた形状を有する。これにより図７に示すとおりヘッドスライダが最大スキュー角度を有した際においても、略台形の空間部の斜辺１９がトラック方向とほぼ平行になる。これにより、例えばサーボ信号が外周より内周方向に順次記録される場合、内周部においてサーボ信号の外周側エッジにより形成される磁化反転領域を最小限にすることが出来る。
【００１８】
尚、サーボ信号の書きこみ方向が一方向で予め既知の場合、サーボ信号において磁化反転領域の発生するエッジは内周側か外周側かのどちらか片側に限られ、またもう一方のエッジは重複記録されるサーボ信号の為上書きされその影響が小さくなることから図８及び９に示すような磁気ギャップ領域の該当する側の空間部の斜辺１９のみスキュ−角度に対応し絞り込んだ形状においても同様の効果を得ることが出来る。
【００１９】
すなわち、スキュー角度に対応した斜辺が磁気記録媒体中心方向に遠い側に位置するような図８（ａ）及び図９（ａ）に示す形状においては、磁気記録媒体の外周側から内周側に向けて記録を行い、スキュー角度に対応した斜辺が磁気記録媒体中心方向に近い側に位置するような図８（ｂ）および図９（ｂ）に示す形状においては、磁気記録媒体の内周側から外周側に向けて記録を行えば良い。
【００２０】
【発明の効果】
以上、詳細に説明したように本発明にかかわる磁気ヘッドでは、磁気ギャップ領域を磁気ディスク装置のスキュー角度を考慮した略台形の形状にすることによりサーボ信号において磁化反転領域を最小限にしサーボ信号品質を向上させることが出来る。
【００２１】
尚、この発明はサーボ信号品質はもとより通常の書きこみ信号においても隣接トラックへの影響を軽減し磁気ディスク装置の信頼性を改善する効果も予測される。
【図面の簡単な説明】
【図１】一般的な磁気ディスク装置の構成を示す平面図
【図２】従来技術による磁気ヘッドを媒体摺動面から見た平面図
【図３】従来技術により形成された磁気ヘッドの要部平面図
【図４】従来技術により記録されたパターンのアクチュエータ回動スキュー角度による変化を説明する図
【図５】従来技術により記録されたサーボパターンを示した概念図
【図６】本発明の実施形態例１により形成された磁気ヘッドの要部平面図
【図７】本発明の実施形態例１により記録されたサーボパターンを示した概念図
【図８】本発明の実施形態例２により形成された磁気ヘッドの要部平面図
【図９】本発明の実施形態例３により形成された磁気ヘッドの要部平面図
【符号の説明】
１  筐体
２  スピンドルモータ
３  磁気記録媒体
４  アクチュエータ支持軸
５  アクチュエータ
６  ヘッドスライダ
７  ボイスコイルモータ
８  上部ポール
９  下層コア
１０  下部ポール
１１  上部シールド
１２  巨大磁気抵抗効果（ＧＭＲ）素子
１３  下部シールド
１４  磁気ギャップ領域
１５  巨大磁気抵抗効果（ＧＭＲ）ヘッド部
１６  インダクティブヘッド部
１７  上部ポール幅
１８  下部ポール幅
１９  斜辺
【図１】
2004178635.tif 000003
【図２】
2004178635.tif 000004
【図３】
2004178635.tif 000005
【図４】
2004178635.tif 000006
【図５】
2004178635.tif 000007
【図６】
2004178635.tif 000008
【図７】
2004178635.tif 000009
【図８】
2004178635.tif 000010
【図９】
2004178635.tif 000011